(57)【要約】【課題】  タワー型津波避難装置のみに頼ることなく他の手段により津波からの避難を可能にした津波避難装置を提供することを目的とする。【解決手段】  天面・底面・左右側面・前後面を有し内部に水密式の避難空間をもつ６面体を基本体としその避難空間と外部とを連絡するものとして天面および側面のうち側面中段高さ以上の高さに開けられた避難口を密閉部材で開閉可能に備えるとともに給排気手段を備え左右の側面には地盤側から傾斜して登るようにしたスロープあるいは階段などの登降手段が側方張出状に設けられて避難者を上方に避難可能とされかつ底部には浮上時において天面を上に向けるようにするウエイトが設けられるとともに浮遊阻止用錨を備えてなる避難カプセルである。【選択図】図１
2015222011.tif 000002
【特許請求の範囲】
【請求項１】
天面・底面・左右側面・前後面を有し内部に水密式の避難空間をもつ６面体を基本体としその避難空間と外部とを連絡するものとして天面および側面のうち側面中段高さ以上の高さに開けられた避難口を密閉部材で開閉可能に備えるとともに給排気手段を備え左右の側面には地盤側から傾斜して登るようにしたスロープあるいは階段などの登降手段が側方張出状に設けられて避難者を上方に避難可能とされかつ底部には浮上時において天面を上に向けるようにするウエイトが設けられるとともに浮遊阻止用錨を備えてなる避難カプセルである津波避難装置。
【発明の詳細な説明】
【技術分野】
【０００１】  本発明は、津波避難装置に関する。
【背景技術】
【０００２】  先般の東日本大震災の津波襲来に先立って下記のような津波避難装置が提案されている。【０００３】
【特許文献１】  特開２００８−１４１１２
【発明の概要】
【発明が解決しようとする課題】
【０００４】  特許文献１に開示された津波避難装置によれば、津波から避難して助かることができるのであるが、東日本大震災において発生した津波は、想定を大きく超えるものであるとともに地盤沈下もあって２０ｍを超えるところもあった。そうした観点から津波避難装置（タワー）の高さも高く見直される傾向にあるが、単に高さを高くするだけでは装置への負荷が想定以上に増大する傾向となるため限界が見えてきているのが現状である。【０００５】  本発明は、このような問題を解決しようとするものであり、タワー型津波避難装置のみに頼ることなく他の手段により津波からの避難を可能にした津波避難装置を提供することを目的とする。
【課題を解決するための手段】
【０００６】  本発明は上記目的を達成するため、請求項１に記載の発明は、天面・底面・左右側面・前後面を有し内部に水密式の避難空間をもつ６面体を基本体としその避難空間と外部とを連絡するものとして天面および側面のうち側面中段高さ以上の高さに開けられた避難口を密閉部材で開閉可能に備えるとともに給排気手段を備え左右の側面には地盤側から傾斜して登るようにしたスロープあるいは階段などの登降手段が側方張出状に設けられて避難者を上方に避難可能とされかつ底部には浮上時において天面を上に向けるようにするウエイトが設けられるとともに浮遊阻止用錨を備えてなる避難カプセルである。
【発明の効果】
【０００７】  上述したように本発明は、天面・底面・左右側面・前後面を有し内部に水密式の避難空間をもつ６面体を基本体としその避難空間と外部とを連絡するものとして天面および側面のうち側面中段高さ以上の高さに開けられた避難口を密閉部材で開閉可能に備えるとともに給排気手段を備え左右の側面には地盤側から傾斜して登るようにしたスロープあるいは階段などの登降手段が側方張出状に設けられて避難者を上方に避難可能とされかつ底部には浮上時において天面を上に向けるようにするウエイトが設けられるとともに浮遊阻止用錨を備えてなる避難カプセルであるので、タワー型津波避難装置のみに頼ることなく他の手段により津波からの避難を可能にした津波避難装置を提供することができる。
【図面の簡単な説明】
【０００８】
【図１】  津波避難装置の一実施形態を示す斜視図。
【図２】  他の津波避難装置の実施形態を示す側面図。
【図３】  他の津波避難装置の実施形態を示す斜視図。
【図４】  他の津波避難装置の実施形態を示す斜視図。
【図５】  他の津波避難装置の実施形態を示す斜視図。
【図６】  他の津波避難装置の実施形態を示す斜視図。
【発明を実施するための形態】
【０００９】  以下、本発明の一実施形態を説明する。各実施形態で説明する各案は関係する他の実施形態においても適用することができる。
図１の実施形態は、上下左右前後の６面体でなる完全水密式の角型コンテナを避難カプセル１４４としたもので、避難カプセル１４４の底面にはウエイトを兼ねる架台１４５が設けられる一方、外側面には、防護手段を兼ねるスロープ１４６や階段などの登降手段が設けられ、さらに、天面にはスリップ防止処理が施されて避難口を開閉自在とする出入り可能蓋１４７が設けられている。外部のスロープ１４６や階段は、メッシュでなく面路としておけば、安定翼となって避難カプセル１４４の横倒しが防止される。架台１４５などには、横倒れを防ぐためのウエイトを設けることがある。
【００１０】  そして、適宜に手摺１４８や給排気手段１４９が設けられ、こうした避難カプセル１４４を自宅や田畑、市街地などの適宜場所に設置しておいて津波避難用とする。平時は緊急時の備蓄庫を兼ねる倉庫としてや住居として活用してもよい。金庫の役目を兼ねる重要対象物保存庫を内装して固定などしてもよい。室内には、避難口に続く避難スロープあるいは階段などを設ける。覗き窓１５０や浮遊阻止用錨１５１を付設してもよい。錨１５１は天面上に備えてもよい。
尚、架台１４５内には、ウエイト１５２を挿通固定して避難カプセル１４４の安定度を高くするようにしてもよい。また、スロープ１４６や階段の下空間を活用してフロート１４３を設けるとより安定度が向上する。
【００１１】  図２は他の実施形態を示し、同実施形態は、完全水密式で丸胴形の避難カプセル１５４を示す。同避難カプセル１５４は、全長２０ｍに設定してあるが１０ｍでも３０ｍでも長さは限定されない。鋼鉄製、ＳＵＳ製、ＲＣ製、ＦＲＰ製など材質は限定されない。この避難カプセル１５４は、外部両側面に昇降階段１５５を備えて水平に設置した上歩み板１５３に登ることができるようになっているとともに、出入り可能な避難口を閉止するための密閉蓋１５６、さらに給排気手段１５７などを備える一方、避難室の内部には、緊急避難のための滑り路（階段でもよい）１５８や上下に避難室を形成するための区画壁１５９などが設けられている。その他、図１に示すような覗き窓１５０や錨１５１などを付設してもよく、また、備蓄庫を備えてもよい。昇降階段１５５は、図１のようなスロープ１６１でもよい。避難カプセル１５４は右欄図のように角型断面のものにしてもよい。１６０は外枠ガードで、津波で流されてくる家屋などの漂流物や固定築造物などに衝当しても避難カプセル１５４である本体を防護する。１６０ａは底枠、１６０ｂは避難カプセル１５４との連結架台である。外枠ガード１６０の筋交い１６２は、同図下欄に示すように、それを支持部材としてその内側にスロープ（あるいは階段）１６１を配置して登降手段を構成することができる。この場合、筋交い１６２には手摺１６３を設けることができる。前記外枠ガード１６０付き避難カプセル１５４は、左右並列配置して連結して構成することができる。この場合、外枠ガード１６０相互を連結する。尚、前記避難カプセル１５４は、その複数体を並列にして１つの大きな外枠ガード１６０にまとめて内装することもできる。
【００１２】  図３は密閉式避難カプセル１７０についての他の実施形態を示す。同実施形態は、２つの案を含むもので、１つは、避難口１６７と密閉ドア１６８とを側面中段高さに配し、これらに対応するようにスロープや階段などの登降手段１６９を設けたものであり、２つ目は、避難カプセル１７０の立体内に盲底式で上方開放型をした脱出室１７１を形成して密閉式脱出扉１７２やステップ１７３などを利用して津波後に脱出ができるようにしたものである。
尚、架台１７４内には、ウエイト１７５を挿通固定して避難カプセル１５４の安定度を高くするようにしてもよい。また、スロープなどの登降手段１６９の上部下側空間を活用してフロート１７６を設けるとより安定度が向上する。また、右欄に示すように、登降手段１６９は地上から上面まで至るものとし、その中途において密閉ドア１６８を開けて避難可能であるとともに上面にも避難ができるようにしてもよい。
【００１３】  図４に示す避難カプセル１７８は、一端開口式で密閉ドア１７９を開閉自在に装備したもので、その外周囲に発泡樹脂や中空板金製のフロート１８０を付設して避難カプセル１７８の安定性の向上を図るとともに外部からの衝撃を吸収し得るようにしたものである。避難カプセル１７８は密閉式でもよい。このフロート１８０を付設する方式は他の実施形態でも適用する。
【００１４】  図５に示す避難カプセル１８２外周に廃棄タイヤでなる緩衝部材１８３…を多数垂れ下げて外部からの衝撃を緩和するようにしたものである。１８４は網状材で、緩衝部材１８３を吊り下げるためのロープ１８５を掛けるために利用される。
【００１５】  図６に示す避難カプセル１８６は、６面密閉型あるいは図４のような密閉ドア付きのものにおいて、同避難施設１８６は上からみて安定した幅のある矩形状のものとし、その左右両側あるいは一側に、スロープ１８７を装備して車両１８８がスロープ１８７上および天面上にまで登って避難できるようにしたものである。尚、スロープ１８７は、人の避難用にも兼用でき、その場合、図示のように密閉ドア１８９をその中途に対応して配置してもよい。
尚、前記のように図４のような密閉ドア付きのものにすれば、避難カプセル１８６内にも車両や人を避難させ得る。１９０は周ガード、１９１は避難口蓋である。
【符号の説明】
【００１６】  １４４，１７０，１８６…避難カプセル。
【図１】
2015222011.tif 000003
【図２】
2015222011.tif 000004
【図３】
2015222011.tif 000005
【図４】
2015222011.tif 000006
【図５】
2015222011.tif 000007
【図６】
2015222011.tif 000008